(57)【要約】【課題】加熱調理器と携帯型の情報端末とを連携させてより良い調理環境を提供する。【解決手段】携帯情報端末５は、ワイヤレス通信網を介して加熱調理器１に遠隔操作情報を送信する。加熱調理器１の調理器制御装置１０は、遠隔操作情報を、加熱調理器１の調理器操作部３への操作に基づく操作情報として加熱部を制御する。携帯情報端末５の端末側報知制御部は、調理器側報知部４における表示内容に対応させて表示画像を生成して、端末側表示部５２に表示させる。【選択図】図１６
2014163539.tif 000002
【特許請求の範囲】
【請求項１】
被加熱物を加熱する加熱調理器と、当該加熱調理器とワイヤレス通信網を介して通信可能な携帯情報端末とを有する加熱調理システムであって、
前記加熱調理器は、
前記被加熱物を加熱する加熱部と、
前記加熱部に対する複数種の特定機能の選択情報及び前記特定機能における設定情報の少なくとも一方を含む操作情報を取得する操作情報取得部と、
前記選択情報及び前記設定情報を入力するためにユーザーにより操作される調理器操作部と、
前記選択情報及び前記設定情報を設定するための操作情報に基づいて前記特定機能の夫々に対応する制御を行う調理器制御部と、
前記加熱調理器の運転状態を示す情報であって、前記選択情報、前記設定情報、前記特定機能の実行状態を示す実行状態情報の少なくとも１つを含む運転状態情報を生成する運転状態情報生成部と、
前記操作情報及び前記運転状態情報の少なくとも一方に基づいて、前記特定機能の実行状態を含む前記加熱調理器の状態を、調理器側報知部を介して少なくとも視覚的に報知する調理器側報知制御部と、を備え、
前記携帯情報端末は、
文字情報及びグラフィック情報を表示可能な端末側表示部と、
少なくとも前記加熱調理器の前記調理器操作部に対応する操作標章を当該グラフィック情報として生成する標章生成部と、
前記操作標章を含む表示画像を生成して、前記端末側表示部に表示させる端末側報知制御部と、
前記端末側表示部に表示された前記操作標章に対する前記ユーザーの操作指示に基づいて、前記加熱調理器に対する遠隔操作情報を生成する遠隔操作情報生成部と、
少なくとも前記遠隔操作情報を、前記ワイヤレス通信網を介して前記加熱調理器へ送信する端末側通信制御部と、を備え、
前記加熱調理器は、少なくとも前記遠隔操作情報を、前記ワイヤレス通信網を介して受信する調理器側通信制御部をさらに備え、
前記操作情報取得部は、前記調理器側通信制御部が受信した前記遠隔操作情報を前記操作情報として取得し、
前記調理器制御部は、前記遠隔操作情報を前記操作情報として、前記特定機能を実行可能に構成され、
前記端末側報知制御部は、前記調理器側報知部における表示内容に対応させて表示画像を生成して、前記端末側表示部に表示させる、
加熱調理システム。
【請求項２】
前記加熱調理器は、前記特定機能の１つとして、複数種の調理種別に対応し、当該調理種別に対応した加熱方法を設定して自動的に調理を行う自動調理機能を有し、
前記端末側報知制御部は、前記複数種の調理種別を選択するための前記操作標章を含む前記表示画像を、調理種別選択画面として表示させ、
前記遠隔操作情報生成部は、前記複数種の調理種別を選択する機能を実行中であることを含む情報を含んで前記遠隔操作情報を生成し、
前記調理器側報知制御部は、当該遠隔操作情報に基づいて、前記複数種の調理種別を選択する表示を前記調理器側報知部に表示させる請求項１に記載の加熱調理システム。
【請求項３】
前記端末側表示部に表示された前記操作標章に対する前記ユーザーの操作指示に基づいて、前記複数種の調理種別の１つが選択された場合、
前記端末側報知制御部は、選択された前記調理種別に応じて前記表示画像を変更し、
前記遠隔操作情報生成部は、当該調理種別が選択されたことを示す情報を含んで前記遠隔操作情報を生成し、
前記調理器側報知制御部は、前記遠隔操作情報に基づいて、選択された当該調理種別を示す表示を前記調理器側報知部に表示させる請求項２に記載の加熱調理システム。
【請求項４】
ユーザーにより操作される調理器操作部を介して入力される情報であって、被加熱物を加熱する加熱部に対する複数種の特定機能の選択情報及び前記特定機能における設定情報の少なくとも一方を含む情報である操作情報に基づいて、前記特定機能の夫々に対応する制御を行う調理機制御部と、運転状態を示す情報であって、前記選択情報、前記設定情報、前記特定機能の実行状態を示す実行状態情報の少なくとも１つを含む運転状態情報を生成する運転状態情報生成部と、前記操作情報及び前記運転状態情報の少なくとも一方に基づいて、前記特定機能の実行状態を含む前記加熱調理器の状態を、調理器側報知部を介して視覚的に報知する調理器側報知制御部とを有した加熱調理器と、ワイヤレス通信網を介して通信可能な携帯情報端末であって、文字情報及びグラフィック情報を表示可能な端末側表示部を有する当該携帯情報端末において、コンピュータに実現させる加熱調理システム用アプリケーションプログラムであって、
少なくとも前記加熱調理器の前記調理器操作部に対応する操作標章を当該グラフィック情報として生成する標章生成機能と、
前記操作標章を含む表示画像を生成して、前記端末側表示部に表示させる端末側報知制御機能と、
前記端末側表示部に表示された前記操作標章に対する前記ユーザーの操作指示に基づいて、前記加熱調理器に対する遠隔操作情報を生成する遠隔操作情報生成機能と、
少なくとも前記遠隔操作情報を、前記ワイヤレス通信網を介して前記加熱調理器へ送信する端末側送信機能を有する端末側通信制御機能と、
をコンピュータに実現させ、
前記加熱調理器が、少なくとも前記遠隔操作情報を、前記ワイヤレス通信網を介して受信し、前記遠隔操作情報を前記操作情報として取得して、前記特定機能を実行可能に構成されている場合において、
前記端末側報知制御機能が、前記調理器側報知部における表示内容に対応させて表示画像を生成して、前記端末側表示部に表示させる機能である、
加熱調理システム用アプリケーションプログラム。
【発明の詳細な説明】
【技術分野】
【０００１】
本発明は、被加熱物を加熱する加熱調理器と、当該加熱調理器とワイヤレス通信網を介して通信可能な携帯情報端末とを有する加熱調理システムに関する。また、被加熱物を加熱する加熱調理器と、ワイヤレス通信網を介して通信可能な携帯情報端末において、実行される加熱調理システム用アプリケーションプログラムに関する。
【背景技術】
【０００２】
コンロなどの加熱調理器において、被加熱物の状態をセンシングして、その状態をユーザーに報知したり、加熱状態を自動制御したりする機能が実用化されている。特開２００３−２１９０４５号公報（特許文献１）には、ユーザーに調理機器の加熱状況を知らせる機能を有した加熱調理機器システムが開示されている。このシステムは、ガスコンロ、携帯型送受信装置を備えて構成されており、ガスコンロと携帯型送受信装置とは無線により通信可能である。ガスコンロ側では、ガスコンロのバーナー部に対するガスの流入量や、当該バーナー部に設置された鍋の底部の温度などの検出結果に用いて加熱状況が判定され、所定の条件に基づいて携帯型送受信装置に対して警報信号を送信する。警報情報を受け取ったユーザーは、ガスコンロに対して確認済信号を送信する。ガスコンロは、例えば警報信号を送信したにも拘わらず、確認済信号を受信しないような場合には、自動的にバーナー部へのガス供給を遮断するような制御を実施することが可能に構成されている（特許文献１：第２８〜４７段落等）。
【０００３】
特許文献１に開示されたシステムは、加熱調理器をより安全に利用する上で優れた機能を提供するものである。しかし、近年、各種センサーの機能向上やメモリーなどの記憶媒体の大容量化にも相まって、より詳細に被加熱物の状態を検出することが可能となり、また、被加熱物の多様な加熱モデルを記憶することも可能となってきている。このため、それらの情報（検出情報や加熱モデル情報）を用いて、自動的・半自動的に調理を行う機能が付加された加熱調理器も実用化されている。但し、そのような機能は、未だ単一の加熱調理器に付加されているに過ぎず、例えば携帯電話機のような情報端末（通信機能を有するタブレット端末等も含む）と連携した加熱調理システムは発展途上である。
【先行技術文献】
【特許文献】
【０００４】
【特許文献１】特開２００３−２１９０４５号公報
【発明の概要】
【発明が解決しようとする課題】
【０００５】
上記背景に鑑みて、加熱調理器と携帯型の情報端末とが連携し、ユーザーに対してより良い調理環境を提供することができる技術が望まれる。
【課題を解決するための手段】
【０００６】
上記課題に鑑みた本発明に係る加熱調理システムの特徴構成は、
被加熱物を加熱する加熱調理器と、当該加熱調理器とワイヤレス通信網を介して通信可能な携帯情報端末とを有する加熱調理システムであって、
前記加熱調理器が、
前記被加熱物を加熱する加熱部と、
前記加熱部に対する複数種の特定機能の選択情報及び前記特定機能における設定情報の少なくとも一方を含む操作情報を取得する操作情報取得部と、
前記選択情報及び前記設定情報を入力するためにユーザーにより操作される調理器操作部と、
前記選択情報及び前記設定情報を設定するための操作情報に基づいて前記特定機能の夫々に対応する制御を行う調理器制御部と、
前記加熱調理器の運転状態を示す情報であって、前記選択情報、前記設定情報、前記特定機能の実行状態を示す実行状態情報の少なくとも１つを含む運転状態情報を生成する運転状態情報生成部と、
前記操作情報及び前記運転状態情報の少なくとも一方に基づいて、前記特定機能の実行状態を含む前記加熱調理器の状態を、調理器側報知部を介して少なくとも視覚的に報知する調理器側報知制御部と、を備え、
前記携帯情報端末が、
文字情報及びグラフィック情報を表示可能な端末側表示部と、
少なくとも前記加熱調理器の前記調理器操作部に対応する操作標章を当該グラフィック情報として生成する標章生成部と、
前記操作標章を含む表示画像を生成して、前記端末側表示部に表示させる端末側報知制御部と、
前記端末側表示部に表示された前記操作標章に対する前記ユーザーの操作指示に基づいて、前記加熱調理器に対する遠隔操作情報を生成する遠隔操作情報生成部と、
少なくとも前記遠隔操作情報を、前記ワイヤレス通信網を介して前記加熱調理器へ送信する端末側通信制御部と、を備え、
前記加熱調理器が、少なくとも前記遠隔操作情報を、前記ワイヤレス通信網を介して受信する調理器側通信制御部をさらに備え、
前記操作情報取得部が、前記調理器側通信制御部が受信した前記遠隔操作情報を前記操作情報として取得し、
前記調理器制御部が、前記遠隔操作情報を前記操作情報として、前記特定機能を実行可能に構成され、
前記端末側報知制御部が、前記調理器側報知部における表示内容に対応させて表示画像を生成して、前記端末側表示部に表示させる点にある。
【０００７】
この特徴構成によれば、加熱調理システムが、携帯情報端末から遠隔操作情報を送信して加熱調理器をリモートコントロールする機能を利用する際に、端末側表示部に表示される画面が、調理器側報知部における表示内容に対応して表示される。換言すれば、調理器側報知部における表示内容と、端末側表示部における表示画像とが同期して遷移する。一般的には、加熱調理器における調理器側報知部の面積は、携帯情報端末における端末側表示部の面積に比べて狭い。このため、携帯情報端末の端末側表示部には、調理器側報知部に比べて詳細で、情報量も多い内容を表示することができる。従って、加熱調理器の操作に不慣れなユーザーは、携帯情報端末をリモートコントローラ、或いは加熱調理器の調理器操作部の１つとして利用することによって、円滑な操作が可能となる。さらに、調理器側報知部における表示内容と、端末側表示部における表示画像とが同期して遷移するため、携帯情報端末を利用して操作する場合と、直接、加熱調理器を操作する場合とで、ユーザーの操作性には大きな差異が発生しない。従って、ユーザーが携帯情報端末を利用した操作を経て加熱調理器の操作に慣れ、直接、加熱調理器を操作するようになっても違和感を覚えることなく、円滑な移行が可能である。即ち、本特徴構成によれば、ユーザーが加熱調理器の操作に慣れるように、円滑に支援することができ、ユーザーに対してより良い調理環境を提供することができる。
【０００８】
ところで、加熱調理器には、自動調理機能が付加されているものや、指定された調理種別に適した加熱方法を設定して調理を支援する機能を備えたものもある。このような機能を利用する場合には、取扱説明書の閲覧や使用経験などが必要となることも多い。しかし、加熱調理器と携帯情報端末とを連携させることで、取扱説明書の閲覧や使用経験に拘わらず、ユーザーが容易に自動調理機能などを利用することができる調理環境を提供することができる。１つの態様として、本発明に係る加熱調理システムは、前記加熱調理器が、前記特定機能の１つとして、複数種の調理種別に対応し、当該調理種別に対応した加熱方法を設定して自動的に調理を行う自動調理機能を有し、前記端末側報知制御部が、前記複数種の調理種別を選択するための前記操作標章を含む前記表示画像を、調理種別選択画面として表示させ、前記遠隔操作情報生成部が、前記複数種の調理種別を選択する機能を実行中であることを含む情報を含んで前記遠隔操作情報を生成し、前記調理器側報知制御部が、当該遠隔操作情報に基づいて、前記複数種の調理種別を選択する表示を前記調理器側報知部に表示させると好適である。
【０００９】
ここで、前記端末側表示部に表示された前記操作標章に対する前記ユーザーの操作指示に基づいて、前記複数種の調理種別の１つが選択された場合、前記端末側報知制御部は、選択された前記調理種別に応じて前記表示画像を変更し、前記遠隔操作情報生成部は、当該調理種別が選択されたことを示す情報を含んで前記遠隔操作情報を生成し、前記調理器側報知制御部は、前記遠隔操作情報に基づいて、選択された当該調理種別を示す表示を前記調理器側報知部に表示させると好適である。このような自動調理機能を利用する場合、ユーザーは、階層的で比較的複雑な操作を要するが、携帯情報端末を利用して操作することによってその負担を軽減することができる。また、上述したように、調理器側報知部における表示内容と、端末側表示部における表示画像とが同期して遷移するため、ユーザーが、後に、直接、加熱調理器を操作するようになっても、同様の操作性を保持することができる。
【００１０】
上述した本発明に係る加熱調理システムの種々の技術的特徴は、加熱調理システム用アプリケーションプログラムにも適用可能である。例えば、本発明に係る加熱調理システム用アプリケーションプログラムは、上述した加熱調理システムの特徴を備えた各種の機能をコンピュータに実現させることが可能である。以下にその代表的な態様を例示する。当然ながらこのような加熱調理システム用アプリケーションプログラムも、上述した加熱調理システムの作用効果を奏することができる。さらに、加熱調理システムの好適な態様として例示した種々の付加的特徴をこの加熱調理システム用アプリケーションプログラムに組み込むことも可能であり、当該プログラムはそれぞれの付加的特徴に対応する作用効果も奏することができる。
【００１１】
その場合における加熱調理システム用アプリケーションプログラムの特徴構成は、
ユーザーにより操作される調理器操作部を介して入力される情報であって、被加熱物を加熱する加熱部に対する複数種の特定機能の選択情報及び前記特定機能における設定情報の少なくとも一方を含む情報である操作情報に基づいて、前記特定機能の夫々に対応する制御を行う調理機制御部と、前記加熱調理器の運転状態を示す情報であって、前記選択情報、前記設定情報、前記特定機能の実行状態を示す実行状態情報の少なくとも１つを含む運転状態情報を生成する運転状態情報生成部と、前記操作情報及び前記運転状態情報の少なくとも一方に基づいて、前記特定機能の実行状態を含む前記加熱調理器の状態を、調理器側報知部を介して視覚的に報知する調理器側報知制御部とを有した加熱調理器と、ワイヤレス通信網を介して通信可能な携帯情報端末であって、文字情報及びグラフィック情報を表示可能な端末側表示部を有する当該携帯情報端末において、コンピュータに実現させる加熱調理システム用アプリケーションプログラムであって、
少なくとも前記加熱調理器の前記調理器操作部に対応する操作標章を当該グラフィック情報として生成する標章生成機能と、
前記操作標章を含む表示画像を生成して、前記端末側表示部に表示させる端末側報知制御機能と、
前記端末側表示部に表示された前記操作標章に対する前記ユーザーの操作指示に基づいて、前記加熱調理器に対する遠隔操作情報を生成する遠隔操作情報生成機能と、
少なくとも前記遠隔操作情報を、前記ワイヤレス通信網を介して前記加熱調理器へ送信する端末側送信機能を有する端末側通信制御機能と、
をコンピュータに実現させ、
前記加熱調理器が、少なくとも前記遠隔操作情報を、前記ワイヤレス通信網を介して受信し、前記遠隔操作情報を前記操作情報として取得して、前記特定機能を実行可能に構成されている場合において、
前記端末側報知制御機能が、前記調理器側報知部における表示内容に対応させて表示画像を生成して、前記端末側表示部に表示させる機能である点にある。
【図面の簡単な説明】
【００１２】
【図１】加熱調理システムの構成例を模式的に示す図
【図２】ガスコンロの外観図
【図３】加熱調理システムの機能構成例を模式的に示すブロック図
【図４】ガスコンロの加熱部の構成例を模式的に示す図
【図５】ガスコンロ（バーナー）の操作部（操作パネル）の一例を示す図
【図６】ガスコンロ（バーナー）の操作部（操作シート）の一例を示す図
【図７】ガスコンロ（グリル）の操作部（操作シート）の一例を示す図
【図８】ガスコンロ（バーナー）の操作部（操作シート）の構造例を示す図
【図９】ガスコンロの天面表示部の外観の一例を示す図
【図１０】天面表示部の表示例を示す図
【図１１】天面表示部の表示例を示す図
【図１２】天面表示部の表示例を示す図
【図１３】天面表示部の表示例を示す図
【図１４】スマートフォンのハードウェア構成を模式的に示すブロック図
【図１５】ＨＭＩ制御部の構成例を模式的に示すブロック図
【図１６】アラカルト調理の設定手順の一例を示す図
【図１７】アラカルト調理の設定手順の一例を示す図
【図１８】アラカルト調理の設定手順の一例を示す図
【図１９】アラカルト調理の設定手順の一例を示す図
【発明を実施するための形態】
【００１３】
〔システム概要〕
以下、本発明の実施形態を、加熱調理器と、携帯情報端末とが協働する加熱調理システムを例として、図面に基づいて説明する。本実施形態において、加熱調理器１と、携帯情報端末５とは、図１に示すような形態により、ワイヤレス通信網Ｎを介して通信し、協働する。ワイヤレス通信網Ｎによる通信の１つの形態としては、符号“ＮＡ”で示すアドホック・モードやポイント・ツー・ポイント・モードなど、対応する加熱調理器１と携帯情報端末５とが直接一対一で通信する形態を採ることができる。
【００１４】
あるいは、図１に符号“ＮＩ”で示すインフラストラクチャー・モードと称される形態で、加熱調理器１と携帯情報端末５とが通信を行う形態を採ることもできる。具体的には、図１に示すように、加熱調理器１及び携帯情報端末５以外の機器も接続されるネットワークに、加熱調理器１及び携帯情報端末５がそれぞれ接続され、当該ネットワークを介して両者が通信する。当該ネットワークへは、アクセスポイントＡＰを介して接続される。このネットワークは、例えばユーザーの家庭内のローカルなネットワーク（構内ＬＡＮ）であってもよいし、インターネットであってもよい。図１に示すように、構内用アクセスポイントＡ１を介して両者が構内ＬＡＮに接続されてもよいし、外部用アクセスポイントＡ２，Ａ３を介して両者がインターネットに接続されてもよい。当然ながら、構内用アクセスポイントＡ１及び構内ＬＡＮを経由して、両者がインターネットに接続されてもよい。何れにしても、加熱調理システム９は、加熱調理器１と、携帯情報端末５とが、直接コネクタやケーブルによって有線により接続されることなく、ワイヤレス通信網Ｎを介して接続され、協働するシステムである。
【００１５】
本実施形態においては、加熱調理器１としてガスコンロを適用し、携帯情報端末５としてスマートフォンを適用した場合を例として説明する。ここで、スマートフォンとは、インターネットとの親和性が高く、パーソナルコンピュータの機能をベースとして作られた多機能携帯電話をいう。尚、加熱調理器１、携帯情報端末５は、ガスコンロやスマートフォンに限定されるものではない。加熱調理器１としてＩＨヒーターやホットプレートを適用することもできる。また、携帯情報端末５として、データ通信機能付きの携帯電話（フィーチャーフォン）や、データ通信機能付きの携帯型音楽プレーヤー、データ通信機能付きのカメラなどを適用することもできる。また、携帯情報端末５は、掌にすっぽり収まるような小型の携帯機器に限定されることなく、画面サイズが７〜９インチ以上のタブレット型端末も含まれる。
【００１６】
〔ガスコンロ（加熱調理器）〕
上述したように、本実施形態においては、加熱調理器１としてガスコンロを用いた形態を例示する。図２は、キッチンの調理テーブルのテーブルトップに組み込まれたガスコンロ１Ａを示している。テーブルトップの下方には、ガスコンロ１Ａの本体部（図２では不可視）が収容されている。当該本体部の上面には、当該上面よりも周囲にはみ出したフランジ部を有する平板状の天板ＴＰが備えられている。天板ＴＰは、例えば、耐熱性強化ガラスにより構成されている。ガスコンロ１Ａの本体部は、テーブルトップをくり抜いた開口部を通ってテーブルトップの下方に収容され、フランジ部によってテーブルトップに支持されている。
【００１７】
ガスコンロ１Ａは、加熱部Ｓとして、左バーナーＢＬ、右バーナーＢＲ、後バーナーＢＢの３つのバーナーＢと、１つのグリルＧとを有して構成されている。各バーナーＢは、吐出される燃料ガスのブンゼン燃焼によって炎を出す炎口ｂ７と、炎口ｂ７の周囲を水平面（天板ＴＰ）に沿って取り囲む五徳ｂ９とを備えている。炎口ｂ７は、天板ＴＰから上方に突き出すように設置されており、五徳ｂ９は、天板ＴＰの面上に設置されている。鍋やフライパンなどの被加熱物は、五徳ｂ９の上に設置され、炎口ｂ７から吹き出す炎によって加熱される。
【００１８】
グリルＧは、被加熱物を収容する収容空間ｇ０に引き出し式に出入りするグリル本体ｇ１を備えて構成されている。グリル本体ｇ１は、被加熱物が載置されるグリル焼き網ｇ３と、グリル焼き網ｇ３を支持する焼き網支持台ｇ４と、グリル焼き網ｇ３から滴る焼き汁等を受け止めるグリル受け皿ｇ５と、グリル本体ｇ１を収容空間ｇ０に収容する際にグリルＧの扉となるグリル扉ｇ６と、グリルＧの内部（閉空間となった収容空間ｇ０）をグリルＧの外部から視認できるようにグリル扉ｇ６に設けられたグリル扉ガラスｇ７とを有して構成されている。収容空間ｇ０には、スライドレールｇ２が備えられ、グリル本体ｇ１は、このスライドレールｇ２をスライドすることによって収容空間ｇ０に対して引き出し式に出入りする。グリルＧにおいて炎を出す炎口（図２では不図示）は、収容空間ｇ０の上下に設けられている。
【００１９】
図３の模式的ブロック図に示すように、加熱部Ｓ（バーナーＢ及びグリルＧ）の運転は、ガスコンロ１Ａに備えられた調理器制御部１１によって制御される。ガスコンロ１Ａには、マイクロコンピュータなどの論理演算プロセッサを中核とする調理器制御装置１０が備えられている。調理器制御部１１は、調理器制御装置１０を構成するハードウェア及びプログラムなどのソフトウェアとの協働によって実現される機能部である。後述する調理器側操作情報取得部１２、運転状態情報生成部１３、調理器側報知制御部１４、調理器側通信制御部１９等も同様の機能部である。従って、これら各機能部は、一部又は全てが共通のハードウェアやソフトウェアによって構成される場合がある。以下、調理器制御装置１０による加熱部Ｓの運転制御について説明する。バーナーＢ及びグリルＧの基本的な構造及び制御形態は同様であるから、ここでは１つのバーナーＢを代表として説明する。
【００２０】
図４の模式的構成図に示すように、バーナーＢのバーナー本体ｂ６には、燃料ガスＦを供給する供給管ｂ８が接続されている。供給管ｂ８には、燃料ガスＦの供給量を調整する調整弁ｂ１と、バーナーＢへの燃料ガスの供給を遮断可能な遮断弁ｂ２とが配置されている。また、炎口ｂ７付近には、炎の有無を検出する火炎センサーｂ３と、燃料ガスＦを火花点火可能な点火栓ｂ４が配置されている。さらに、五徳ｂ９に載置された被加熱物Ｐの底面に当接してこの被加熱物Ｐの温度を検出する温度センサーｂ５が配置されている。調整弁ｂ１、遮断弁ｂ２、火炎センサーｂ３、点火栓ｂ４、温度センサーｂ５は、調理器制御部１１に接続されている。
【００２１】
上述したように、調理器制御装置１０は、ハードウェア及びプログラムなどのソフトウェアとの協働によって実現される機能部を有して構成されている。図３及び図４に示すように、調理器制御装置１０は、機能部として、調理器制御部１１と、調理器側操作情報取得部１２と、運転状態情報生成部１３と、調理器側報知制御部１４とを有している。調理器制御部１１は、加熱部Ｓに対する複数種の特定機能の夫々に対応する制御を行う機能部である。調理器側操作情報取得部１２は、特定機能の選択情報及び特定機能における設定情報の少なくとも一方を含む操作情報を取得する機能部である。運転状態情報生成部１３は、ガスコンロ１Ａ（加熱調理器１）の運転状態を示す情報であって、選択情報、設定情報、特定機能の実行状態を示す実行状態情報の少なくとも１つを含む運転状態情報を生成する機能部である。調理器側報知制御部１４は、特定機能の実行状態をユーザーに報知するための調理器側報知情報を生成して調理器側報知部４を介してユーザーに報知する機能部である。
【００２２】
調理器側操作情報取得部１２は、図５から図７に一例を示すコンロ操作部３（調理器操作部）に対するユーザーの操作を操作情報（調理器側操作情報）として取得する。図５は、ガスコンロ１Ａの主電源ボタン３１、３つのバーナーＢを夫々個別に点火・消火・火炎調整することができる３つのバーナー用ダイヤルスイッチ３２、ガスコンロ１Ａの操作を制限するロック機能ボタン３９が備えられた操作パネル３ｍを示している。図８に示すように、バーナー用ダイヤルスイッチ３２は、バーナーＢが停止状態（消火状態）の際には、操作パネル３ｍのパネル面とほぼ同一面まで押し込まれている。バーナー用ダイヤルスイッチ３２は押し戻し式のスイッチとなっており、ユーザーはバーナー用ダイヤルスイッチ３２を押し込み、ロックを解除させて、バーナー用ダイヤルスイッチ３２をパネル面よりも突出させる。突出した後は、バーナー用ダイヤルスイッチ３２が回転可能となるので、ユーザーは回転に応じて火力を調整することができる。バーナーＢを消火する場合には、ユーザーは、バーナー用ダイヤルスイッチ３２を操作パネル３ｍのパネル面とほぼ同一面まで押し込む。
【００２３】
各バーナーＢは、湯沸かし、炊飯、炒め調理など、調理種別に応じて、調理器制御部１１によって火力や加熱時間を自動調整できるように構成されている。このため、このような調理種別をユーザーが指示できるように、操作パネル３ｍとは別に、図６に示すようなバーナー操作シート３ｂ（操作シート３ｓ）もガスコンロ１Ａに備えられている。操作シート３ｓは、ユーザーによる操作の利便性を考慮して、図２に示すように、操作時にはシート面が上向きとなるように設けられている。しかし、ガスコンロ１Ａの正面から操作シート３ｓが突出することになるので、操作シート３ｓを使用しない場合には、ガスコンロ１Ａの本体部に収納可能に構成されている。具体的には、図８に示すように、操作シート３ｓは、押し戻し式のロック機構により通常時は、本体部に収容されている。ユーザーが操作シート３ｓの壁面を押圧することで押し戻し式のロック機構が解除され、操作シート３ｓが突出するように構成されている。
【００２４】
図６に示すように、バーナー操作シート３ｂには、各バーナーＢに割り当て可能な調理種別や調節機能に対応したキーが、バーナーＢごとに区分されて設けられている。本実施形態では、左バーナーＢＬと右バーナーＢＲとは同じ調理種別、同じ調節機能が割り当てられている。左バーナーＢＬ及び右バーナーＢＲは、調理種別として“湯沸かし”、“あぶり高温炒め”が割り当てられ、これらに対応した湯沸かしキーｋ１及びあぶり高温炒めキーｋ３が、バーナー操作シート３ｂに設けられている。後バーナーＢＢは、調理種別として“湯沸かし”に代えて“炊飯”が割り当てられ、これに対応した炊飯キーｋ２が、バーナー操作シート３ｂに設けられている。“あぶり高温炒め”とは、直火料理や、鍋を頻繁に上げるような動作を行う炒め料理などを行う際の動作モードであり、他のモードよりも高い温度まで調理が可能な動作モードである。
【００２５】
３つのバーナーＢには、共通した調節機能として、“タイマー機能”が割り当てられている。タイマー機能は、設定された加熱時間の間、バーナーＢを燃焼状態とし、加熱時間経過後にバーナーＢを停止する（消火する）機能である。加熱時間を設定するために、プラスキーとマイナスキーとの一対のタイマー設定キーｋ５が設けられている。また、左バーナーＢＬ及び右バーナーＢＲには、被加熱物Ｐの温度を一定に保持する“定温保持機能”も割り当てられている。設定温度は、例えば１０［℃］ごとなど、段階的に設定可能であり、温度設定キーｋ４を操作する度に、１４０［℃］から２００［℃］の範囲で１０［℃］間隔で設定温度が上昇し、最高温度までいくと最低温度に戻って巡回するように構成されている。尚、温度設定キーｋ４を操作するごとに設定温度が低下したり、最初にキー操作した際に設定される温度が中間の１７０［℃］〜１８０［℃］であったりしてもよい。設定された調理種別や調整機能などの設定パラメータは、取り消しキーｋ９（とりけし）によって取り消すことができる。
【００２６】
グリルＧは、バーナーＢよりもさらに多くの調理種別に対応可能である。ユーザーは、図７に示すグリル操作シート３ｇ（操作シート３ｓ）を介してグリルＧに対する調理種別や調節機能を設定することができる。グリルＧは、自動的に調理を行うオートモードに対応した調理機能と、ユーザーが火力や時間を設定して調理を行うマニュアルモードに対応した調理機能とを実行可能に構成されている。
【００２７】
オートモードに対応した調理機能としては、“あたため”、“魚焼き”、“焼き加減設定”、“アラカルト調理”の４つの機能が個別又は重複して利用可能である。それぞれの機能に対応して、あたためキーｊ１、魚キーｊ２、焼き加減キーｊ３、アラカルトキーｊ４が、グリル操作シート３ｇに設けられている。あたため機能は、被加熱物Ｐを自動的に温める機能であり、魚焼き機能は、被加熱物Ｐとしての魚を自動的に焼く機能である。焼き加減設定機能は、あたため機能や魚焼き機能を利用する際の火力調整を、温める対象物（揚げ物・焼き物など）や、魚の状態（切り身・姿焼き・干物など）によって設定できる機能である。アラカルト調理機能は、焼きいも、焼き鳥、ピザなど料理の種別を設定することによって自動的に調理を行う機能である。一旦設定した内容（設定パラメータ）は、設定変更キーｊ８で変更したり、取り消しキーｊ９（とりけし）で取り消したりすることができる。尚、グリルＧには、バーナーＢのように点火や消火を行う操作パネル３ｍが設けられていないので、グリル操作シート３ｇに点火／消火キーｊ０が設けられている。
【００２８】
マニュアルモードに対応した調理機能としては、“火力切り換え”、“タイマー機能”、“ダッチオーブン機能”が利用可能である。それぞれの機能に対応して、火力切換キーｊ５、タイマー設定キーｋ５、ダッチオーブンキーｊ６が、グリル操作シート３ｇに設けられている。上述したように、グリルＧには、収容空間ｇ０の上下に炎口が設けられている。収容空間ｇ０の上部に備えられた炎口（上火）と、下部に備えられた炎口（下火）とは、個別に火力調整が可能である。上下それぞれが“強”と“弱”とに火力調整可能な場合には、４通りの組み合わせにより火力調節を行うことができる。ユーザーは、火力切換キーｊ５を操作するごとに、例えば、“上火強・下火強”、“上火強・下火弱”、“上火弱・下火強”、“上火弱・下火弱”というように火力調節を行うことができる。タイマー機能については、バーナーＢと同様であるので説明は省略する。ダッチオーブン機能は、ダッチオーブンを収容空間ｇ０に収容して調理を行う機能である。
【００２９】
調理器側操作情報取得部１２は、図５から図７に示すコンロ操作部３（調理器操作部）に対するユーザーの操作を操作情報（調理器側操作情報）として取得する。調理器制御部１１は、調理器側操作情報取得部１２を介して、操作情報を受け取り、この操作情報に基づいて、バーナーＢやグリルＧ、具体的には、調整弁ｂ１、遮断弁ｂ２、点火栓ｂ４等を制御して、加熱部Ｓの特定機能を実現させる。
【００３０】
ユーザーによるコンロ操作部３への操作内容は、天板ＴＰに設けられた天面表示部４０（調理器側報知部４）に表示される。１つの態様として、調理器制御部１１は、調理器側操作情報取得部１２を介して受け取った操作情報を、運転状態情報生成部１３に伝達する。運転状態情報生成部１３は、操作情報を含む運転状態情報を調理器側報知制御部１４に伝達する。調理器側報知制御部１４は、運転状態情報に基づいて調理器側報知情報を生成して、天面表示部４０に出力する。ユーザーは、天面表示部４０を介してコンロ操作部３への操作内容を確認することができる。尚、調理器制御装置１０に構成される各機能部は、共通のハードウェアやソフトウェアを利用して構築可能であるから、例えば、調理器側操作情報取得部１２が取得した操作情報を用いて、直接に調理器側報知制御部１４が調理器側報知情報を生成してもよい。
【００３１】
図９は、天面表示部４０の一例を示している。天面表示部４０は、液晶などのフラットディスプレイパネルにより構成されている。図９において“Ｙ”方向は、天板ＴＰに沿ってガスコンロ１Ａの手前側から奥側へと向かう奥行き方向である。また、“Ｘ”方向は天板ＴＰに沿ってガスコンロ１Ａの左右方向である。天面表示部４０の表示面は、初期状態では、図９に示すように領域区分されている。表示面は、奥行き方向Ｙにおける手前側と奥側とに２分割され、手前側にはグリル状態表示領域４４が、奥側にはバーナー状態表示領域４５が形成される。バーナー状態表示領域４５は、さらに各バーナーＢに対応するように左右方向Ｘに沿って３つの領域に分割されている。バーナー状態表示領域４５には、図示左側から、左バーナー状態表示領域４１、後バーナー状態表示領域４２、右バーナー状態表示領域４３が形成される。また、これらそれぞれの領域（４１，４２，４３）に対応して、各バーナー（ＢＬ，ＢＢ，ＢＲ）の火力をイコライザー方式で点灯数によって示す火力インジケータ４６が、奥行き方向Ｙにおける手前側に形成された火力表示領域４７に設けられている。
【００３２】
ここで、天面表示部４０における具体的な表示例を示す。例えば、右バーナーＢＲが１分間のタイマー機能を設定されて点火された場合には、図１０に示すように、右バーナー状態表示領域４３に“鍋”の標章と共にタイマー設定時間の“１分”が表示される。また、バーナー操作シート３ｂの炊飯キーｋ２が操作され、後バーナーＢＢに、“炊飯”の機能が割り当てられている場合には、図１１に示すように、後バーナー状態表示領域４２に、炊飯を示す“かまど”の標章が表示される。また、グリルＧが、マニュアルモードで使用され、ユーザーが火力切換キーｊ５を操作して“上火強・下火強”を選択した場合には、図１２に示すように、グリルＧがマニュアルモードであること、及びグリルＧの火加減が、グリル状態表示領域４４に表示される。
【００３３】
尚、上述したように、グリルＧは、“アラカルト調理”の機能も有している。アラカルト調理機能は、焼きいも、焼き鳥、ピザなど料理の種別（調理種別）を設定することによって自動的に調理を行う機能である。このため、料理の種別や、仕上がりについてある程度詳細な設定が可能に構成されている。このような詳細な設定を行う場合には、図１３に示すように、天面表示部４０の表示面を奥行き方向Ｙの奥側と手前側とに分割する分割線が奥側に移動し、手前側のグリル状態表示領域４４が拡大される。そして、拡大されたグリル状態表示領域４４には、アラカルト調理の種別（焼きいも・焼きなす・鶏もも肉など）や、その焼き加減（標準・強め・弱め）などの選択項目が表示される。選択後に調理が開始されると、図１２と同様の画面構成に戻る。例えば、調理種別が“焼きいも”で、焼き加減が“標準”の場合には、図１２において“マニュアルグリル”と表示されていた箇所に“焼きいも（標準）”と表示される。
【００３４】
尚、調理器側報知情報は、このような詳細な情報に限らず、単にバーナーＢやグリルＧが使用中であることを示すような情報であってもよい。また、その報知の方法についても、図１０〜図１３に例示したように、グラフィック（標章）や文字を用いることに限らず、単にＬＥＤなどのインジケータを発光させるだけのものであってもよい。例えば、操作パネル３ｍ（図５参照）の主電源ボタン３１には、電源が入っている際に赤橙色に点灯する電源インジケータ３６が内蔵されている。また、バーナー用ダイヤルスイッチ３２にも、燃焼時に赤橙色に点灯するバーナーインジケータ３７が内蔵されている。バーナー用ダイヤルスイッチ３２がパネル面に対して突出し、バーナーＢが点火されると、バーナーインジケータ３７が点灯する。尚、自動的にバーナーＢが停止された場合には、バーナー用ダイヤルスイッチ３２が突出状態であってもバーナーインジケータ３７は消灯する。また、グリルＧには、グリル扉ｇ６にグリルインジケータ４ｇが内蔵されている（図２参照）。グリルＧに点火されると、グリルインジケータ４ｇが赤橙色に点灯し、グリルＧが使用中であることがユーザーに報知される。
【００３５】
尚、バーナーインジケータ３７やグリルインジケータ４ｇの報知色は、さらに多様な形態を有していてもよい。例えば、バーナーインジケータ３７は、鍋等の被加熱物ＰがバーナーＢに設置されていないときには無色であり、被加熱物Ｐが設置されると白色に点灯し、燃焼時に赤橙色となり、自動停止（自動消火）等でバーナー用ダイヤルスイッチ３２が突出状態の場合には、白色で点滅するような形態であってもよい。また、グリルインジケータ４ｇは、グリルＧが未使用の場合には、無色であり、グリルＧの機能選択を行っている際には白色に点灯し、燃焼時に赤橙色となり、自動停止（自動消火）等でグリルの火が消えた場合には、白色で点滅するような形態であってもよい。
【００３６】
ところで、上述したように、操作パネル３ｍには、ガスコンロ１Ａの操作を制限するロック機能ボタン３９が設けられている。ユーザーが、このロック機能ボタン３９を所定時間（例えば３秒間）押し続けると、ロック機能が有効となり、ガスコンロ１Ａの操作が制限される。操作パネル３ｍには、ロック機能が有効であることを示すロック機能インジケータ３８も備えられている。これら、電源インジケータ３６、バーナーインジケータ３７、グリルインジケータ４ｇ、ロック機能インジケータ３８などのインジケータ４９も、調理器側報知部４に相当する。
【００３７】
〔スマートフォン（携帯情報端末）〕
加熱調理システムにおける携帯情報端末５は、図３に示すように、ワイヤレス通信網Ｎを介して加熱調理器１と通信する端末側通信制御部５９と、文字情報及びグラフィック情報を表示可能であると共にユーザーによる操作入力を受け付け可能な表示操作部５２と、加熱調理器１を利用するユーザーと加熱調理器１とのヒューマン・マシン・インターフェース機能に対する制御を行うＨＭＩ制御部５１と、カメラ５３と、と備えて構成されている。本実施形態では、携帯情報端末５としてスマートフォン５Ａを例示しており、以下スマートフォン５Ａの構成について説明する。
【００３８】
図１４は、スマートフォン５Ａのハードウェア構成を模式的に示すブロック図である。スマートフォン５Ａの大部分のハードウェアは、メインボード５０（マザーボード）と称される基板上に搭載される。アンテナ５６やカメラ５３、マイク５５ｍなどの主要な周辺デバイスも当該メインボード５０に接続される。スマートフォン５Ａは、通常、固定的な電力線に接続されることなく使用されるので、リチウムイオン電池などの二次電池５５ｂを備えており、メインボード５０には、二次電池５５ｂを介して各部に電力を供給する電源モジュール５０ｐも搭載されている。
【００３９】
メインボード５０には、スマートフォン５Ａの中核となるメインプロセッサーＭＰ、メインプロセッサーＭＰにおいて実行されるプログラム（ソフトウェア）が記憶されたフラッシュメモリー５０ｆ、プラグラム実行中の一時ファイルを記憶するメインメモリー５０ｍが搭載されている。メインメモリー５０ｍは揮発性メモリーでよく、例えばＤＲＡＭが用いられる。また、本実施形態では、スマートフォン５Ａに対してメモリーカード５５ｃも着脱可能に構成されている。メインプロセッサーＭＰは、メモリーカード５５ｃに格納された、画像や音声を含む各種データや、アプリケーションプログラムなどを利用することも可能である。ＨＭＩ制御部５１、端末側通信制御部５９は、これらメインプロセッサーＭＰやメモリー（５０ｆ，５０ｍ）などのハードウェアと、プログラム（ソフトウェア）との協働によって実現される機能部である。
【００４０】
スマートフォン５Ａには、複数の方式に対応したワイヤレス通信モジュール５０ｔが搭載されている。本実施形態では、ワイヤレス通信モジュール５０ｔとして、携帯電話回線網との通信を制御するベースバンドプロセッサ５９ｂと、無線ＬＡＮによる通信を制御する無線ＬＡＮモジュール５９ｒとがメインボード５０に搭載されている態様を例示している。ワイヤレス通信モジュール５０ｔは、メインプロセッサーＭＰと共に、携帯情報端末５の端末側通信制御部５９として機能する。また、スマートフォン５Ａには、通話の際に利用されるマイク５５ｍとスピーカー５５ｓも備えられている。メインボード５０には、ボイスモジュール５０ｖやオーディオモジュール５０ａが搭載されている。マイク５５ｍはボイスモジュール５０ｖを介してメインプロセッサーＭＰに接続されている。また、スピーカー５５ｓは、オーディオモジュール５０ａ及びボイスモジュール５０ｖを介してメインプロセッサーＭＰと接続されている。
【００４１】
携帯情報端末５の表示操作部５２は、スマートフォン５Ａにおいては、端末側表示部として機能するディスプレイパネル５２ｄと、端末側操作部として機能するタッチパネル５２ｔとにより構成されている。本実施形態では、表示操作部５２は、ディスプレイパネル５２ｄとタッチパネル５２ｔとが一体化されたタッチディスプレイパネルとして構成されている。また、スマートフォン５Ａには、カメラ５３が搭載されている。カメラ５３により撮影された撮影画像は、メインプロセッサーＭＰを介して、或いはＤＭＡ転送などによりメインボード５０上に設けられたデータバスを介して直接に、メインメモリー５０ｍやメモリーカード５５ｃ、フラッシュメモリー５０ｆ等に格納される。
【００４２】
また、スマートフォン５Ａには、ジャイロセンサー、加速度センサー、気圧センサー、温度センサー、方向センサー、重力センサーなどの各種センサーが搭載されている。本実施形態では、メインボード５０に加速度センサー５０ｓが搭載されている形態を例示している。加速度センサー５０ｓは、スマートフォン５Ａの傾きや向きを検出する。つまり、加速度センサー５０ｓによってスマートフォン５Ａの上下方向を検出して、メインプロセッサーＭＰは、その上下方向に応じてディスプレイパネル５２ｄへの表示方向を制御することができる。本実施形態では、加速度センサー５０ｓを利用する形態を例示したが、重力センサーやジャイロセンサーを用いることも可能である。当然ながら、複数のセンサーが搭載されていてもよい。加速度センサー５０ｓは、本発明の姿勢検出部に相当する。
【００４３】
図１５のブロック図は、ＨＭＩ制御部５１の構成を模式的に示している。ＨＭＩ制御部５１は、ガスコンロ１Ａから受信した情報を情報処理して表示操作部５２を介してユーザーに報知するための機能部として、運転状態情報取得部６１と、説明情報生成部６２と、端末側報知情報生成部６３とを備えている。情報処理された情報は、端末側報知制御部８５を介して表示操作部５２に伝達される。また、ＨＭＩ制御部５１は、ユーザーにより表示操作部５２から入力される情報を情報処理して送信部５７を介してワイヤレス通信網Ｎへ送信するための機能部として、端末側操作情報取得部７１と、遠隔操作情報生成部７３とを備えている。
【００４４】
また、ＨＭＩ制御部５１は、種々の標章を生成して表示操作部５２を介してユーザーに報知するための機能部として、標章生成部８３を備えて構成されている。本実施形態では、ＨＭＩ制御部５１に調理器データベース８０を備え、この調理器データベース８０から標章などのデータを取得可能に構成されている形態を例示している。この調理器データベース８０は、固定的にスマートフォン５Ａに備えられている必要はなく、適宜書き換えが可能なようにフラッシュメモリー５０ｆなどに構築されていると好適である。あるいは、必要に応じて情報を取得して、一時的にメインメモリー５０ｍなどの揮発性のメモリーに当該情報を格納するような形態であってもよい。
【００４５】
〔加熱調理システム〕
ＨＭＩ制御部５１に構築される各種機能部の詳細については、以下に詳述する加熱調理システム９の説明において適宜行う。加熱調理システム９は、ガスコンロ１Ａを、スマートフォン５Ａからユーザーがリモートコントロールできるように構成されている。また、加熱調理システム９は、ガスコンロ１Ａの状態を、スマートフォン５Ａにおいてユーザーが確認できるように構成されている。上述したように、ガスコンロ１Ａには、操作部として、操作パネル３ｍ、バーナー操作シート３ｂ、グリル操作シート３ｇなどのコンロ操作部３（調理器操作部）が備えられている。また、調理器側報知部４として天面表示部４０などが備えられている。加熱調理システム９は、スマートフォン５Ａを用いてガスコンロ１Ａをリモートコントロールする際に、スマートフォン５Ａの表示操作部５２に表示される画面と、ガスコンロ１Ａのコンロ操作部３や天面表示部４０とが同期した内容となるように構成されている。
【００４６】
加熱調理器１としてのガスコンロ１Ａにおいて、調理器側操作情報取得部１２は、加熱部Ｓに対する複数種の特定機能の選択情報及び特定機能における設定情報の少なくとも一方を含む操作情報（調理器側操作情報）を取得し、調理器制御部１１は、その操作情報に基づいて特定機能の夫々に対応する制御を行う。尚、調理器側操作情報取得部１２は、スマートフォン５Ａからの遠隔操作情報（後述する）も、操作情報（調理器側操作情報）として取得する。調理器制御部１１は、遠隔操作情報も操作情報（調理器側操作情報）として、特定機能を実行可能である。運転状態情報生成部１３は、ガスコンロ１Ａの運転状態を示す情報であって、選択情報、設定情報、特定機能の実行状態を示す実行状態情報の少なくとも１つを含む運転状態情報を生成する。調理器側報知制御部１４は、操作情報及び運転状態情報の少なくとも一方に基づいて、特定機能の実行状態を含むガスコンロ１Ａの状態を、天面表示部４０などの調理器側報知部４を介して少なくとも視覚的に報知する。また、調理器側通信制御部１９の送信部１７（調理器側送信部）は、少なくとも運転状態情報を、ワイヤレス通信網Ｎを介して送信する。また、調理器側通信制御部１９の受信部１８（調理器側受信部）は、遠隔操作情報を、ワイヤレス通信網Ｎを介して受信する。
【００４７】
携帯情報端末５としてのスマートフォン５Ａにおいて、ＨＭＩ制御部５１の標章生成部８３は、少なくともガスコンロ１Ａのコンロ操作部３（操作パネル３ｍ、バーナー操作シート３ｂ、グリル操作シート３ｇなど）に対応する操作標章をグラフィック情報として生成する（標章生成機能／ステップ）。標章生成部８３は、調理器データベース８０と協働する。端末側報知制御部８５は、操作標章を含む表示画像を生成して、表示操作部５２（端末側表示部）に表示させる（端末側報知制御機能／ステップ）。端末側操作情報取得部７１は、表示操作部５２に表示された操作標章に対するユーザーの操作指示を端末側操作情報として取得する（端末側操作情報取得機能／ステップ）。遠隔操作情報生成部７３は、端末側操作情報に基づき、つまり、表示操作部５２に表示された操作標章に対するユーザーの操作指示に基づき、ガスコンロ１Ａに対する遠隔操作情報を生成する（遠隔操作情報生成機能／ステップ）。
【００４８】
端末側通信制御部５９の送信部５７（端末側送信部）は、遠隔操作情報を、ワイヤレス通信網Ｎを介してガスコンロ１Ａへ送信する（遠隔操作情報送信機能／ステップ）。また、端末側通信制御部５９の受信部５８（端末側受信部）は、ガスコンロ１Ａからの運転状態情報を、ワイヤレス通信網Ｎを介して受信する（運転状態情報受信機能／ステップ）。尚、遠隔操作情報送信機能／ステップ、及び、運転状態情報受信機能／ステップを合わせて、端末側通信制御機能／ステップと称する。端末側報知制御部８５は、調理器側報知部４における表示内容に対応させて表示画像を生成して、前記端末側表示部に表示させる（端末側報知制御機能／ステップ）。図１３を参照して、上述したように、調理器側報知部４としての天面表示部４０は、コンロ操作部３を用いてグリルＧの自動調理機能を設定する際の選択候補も表示する。従って、“調理器側報知部４における表示内容に対応させる”という機能には、“コンロ操作部３の外観に対応させる”という機能も含むものである。
【００４９】
尚、図１５に示す説明情報生成部６２は、運転状態情報取得部６１が取得した運転状態情報に基づいてガスコンロ１Ａの運転状態に関連する説明情報を生成する（説明情報生成機能／ステップ）。好適には、説明情報生成部６２は、調理器データベース８０と協働する。説明情報とは、ガスコンロ１Ａの運転状態に関連する情報であり、加熱部Ｓの特定機能の案内や、調理内容の紹介・案内などの情報も含まれる。このような詳細な報知情報が生成され、表示操作部５２を介してユーザーに報知されるので、ガスコンロ１Ａの例えば、天面表示部４０に表示される内容に比べてより詳細な情報をユーザーに提供することが可能である。
【００５０】
ところで、上述したように、調理器データベース８０は、固定的にスマートフォン５Ａに備えられている必要はない。必要に応じて情報を取得して、一時的にメインメモリー５０ｍなどの揮発性のメモリーに当該情報を格納するような形態であってもよい。スマートフォン５Ａは、ワイヤレス通信網Ｎを介して通信可能なクラウドデータベースからガスコンロ１Ａに関する情報を取得してもよい。説明情報生成部６２や標章生成部８３は、端末側通信制御部５９を介してクラウドデータベースからガスコンロ１Ａに関する情報を取得して、説明情報や操作標章を生成することもできる。尚、調理器側通信制御部１９の送信部１７が運転状態情報を送信する先が、このようなクラウドデータベースであってもよい。この場合、クラウドデータベースは、ワイヤレス通信網Ｎを介してガスコンロ１Ａからの運転状態情報を取得して格納する。そして、運転状態情報取得部６１は、端末側通信制御部５９を介してクラウドデータベースから運転状態情報を受信する。
【００５１】
以下、具体的な例を挙げて説明する。ここでは、グリルＧを用いた場合について例示する。グリルＧは、上述したように、特定機能の１つとして、複数種の調理種別に対応し、当該調理種別に対応した加熱方法を設定して自動的に調理を行う自動調理機能を実行可能に構成されている。上述したように、グリルＧは、オートモードに対応した調理機能として、“あたため”、“魚焼き”、“焼き加減設定”、“アラカルト調理”の４つの機能を有している。そして、アラカルト調理機能は、焼きいも、焼き鳥、ピザなど料理の種別を設定することによって自動的に調理を行う機能である。ここでは、自動調理機能の１つとしての“アラカルト調理”において、“鶏もも肉”が選択された場合を例として説明する。
【００５２】
ガスコンロ１Ａには、既に主電源が投入されているものとする。また、説明を容易にするために、全ての加熱部Ｓが未使用の状態においてグリルＧを使って自動調理機能を実行する場合を例示する。図１６の上段右側に示すように、この時点において、天面表示部４０には何も表示されていない。ユーザーは、スマートフォン５Ａのアプリケーションを起動し、グリルＧのリモートコントロール画面を表示操作部５２に表示させる。図１６の上段左側には、グリルＧのリモートコントロールのトップ画面の一例が示されている。このトップ画面は、図７に示したグリル操作シート３ｇに対応する。即ち、マニュアルモードの操作キーに対応する操作標章の表示画面へ移行させる操作標章と、オートモードの３つの機能（あたため・魚焼き・アラカルト調理）の操作キー（ｊ１，ｊ２，ｊ４）に対応する操作標章と、ダッチオーブン機能の操作キー（ｊ６）に対応する操作標章が表示されている。
【００５３】
ここで、ユーザーが図１６に示すように“アラカルト”の操作標章にタッチすると、上述したように遠隔操作情報が生成されてスマートフォン５Ａからガスコンロ１Ａへ送信される。この遠隔操作情報を受信したガスコンロ１Ａの調理器制御装置１０は、この遠隔操作情報を、グリル操作シート３ｇのアラカルトキーｊ４への操作に伴う操作情報（調理器側操作情報）として扱う。その結果、ガスコンロ１Ａの天面表示部４０の表示は、図１３に例示したような調理種別の選択画面へと遷移する（図１６の右列参照）。遠隔操作情報を送信したスマートフォン５Ａは、この遠隔操作情報に基づいて天面表示部４０の表示が遷移することが明らかであるから、同様にアラカルト調理の調理種別の選択画面へと遷移する（図１６の左列参照）。つまり、スマートフォン５Ａの表示操作部５２とガスコンロ１Ａの天面表示部４０との表示内容は同期して遷移する。
【００５４】
つまり、端末側報知制御部８５は、複数種の調理種別を選択するための操作標章を含む表示画像を、調理種別選択画面として表示操作部５２に表示させる。遠隔操作情報生成部７３は、複数種の調理種別を選択する機能を実行中であることを含む情報を含んで遠隔操作情報を生成し、端末側通信制御部５９は、その遠隔操作情報を送信する。調理器側報知制御部１４は、その遠隔操作情報に基づいて、複数種の調理種別を選択する表示を天面表示部４０（調理器側報知部４）に表示させる。
【００５５】
尚、ここではスマートフォン５Ａの表示操作部５２の表示が、スマートフォン５Ａの自発的な判定によって遷移する例を示したが、受動的な判定によって遷移してもよい。即ち、天面表示部４０の表示が遷移したという情報を含む運転状態情報をガスコンロ１Ａが送信し、その運転状態情報を受信したスマートフォン５Ａが、その運転状態情報に基づいて表示操作部５２の表示を遷移させてもよい。これは、以下の説明においても同様である。
【００５６】
スマートフォン５Ａにおけるアラカルト調理の調理種別の選択画面では、各調理種別が写真やイラストなどのグラフィックを用いて表示され、ユーザーが調理種別を選択する際に高い利便性を備えている。グリル操作シート３ｇ及び天面表示部４０を利用する場合には、アラカルトキーｊ４が押されるたびに、調理種別が切り替わる。例えば、アラカルトキーｊ４が押されるたびに、焼きいも→焼きナス→鶏もも肉→・・・の順に調理種別が切り替わる。一方、表示操作部５２を利用する場合には、調理種別が示された操作標章をユーザーがタッチすることによって調理種別が選択される。
【００５７】
調理種別が選択されると、遠隔操作情報が生成されてガスコンロ１Ａへ送信される。また、表示操作部５２の表示は、焼き加減の設定が可能な次の画面へと遷移する（図１７左列参照）。上述したように、遠隔操作情報を受信したガスコンロ１Ａの調理器制御装置１０は、この遠隔操作情報を、グリル操作シート３ｇへの操作に伴う操作情報（調理器側操作情報）として扱い、天面表示部４０の表示も遷移する（図１７の右列参照）。
【００５８】
つまり、表示操作部５２に表示された操作標章に対するユーザーの操作指示に基づいて、複数種の調理種別の１つが選択された場合、端末側報知制御部８５は、選択された調理種別に応じて表示画像を変更する。また、遠隔操作情報生成部７３は、その調理種別が選択されたことを示す情報を含んで遠隔操作情報を生成し、端末側通信制御部５９は、その遠隔操作情報を送信する。調理器側報知制御部１４は、その遠隔操作情報に基づいて、選択された調理種別を示す表示を天面表示部４０（調理器側報知部４）に表示させる。
【００５９】
尚、表示操作部５２は、天面表示部４０に比べてより詳細な内容を表示することができる。図１７に例示するように、焼き加減の設定画面においては、グリル焼き網ｇ３への材料の配置方法や、調理に要する時間の目安、出来上がりの予想時刻なども表示されている。これらは、説明情報生成部６２において生成された説明情報に基づいて表示される。これにより、ユーザーは取扱説明書等を参照することなく、アラカルト調理の設定を行うことが可能である。
【００６０】
グリル操作シート３ｇ及び天面表示部４０を利用する場合には、焼き加減キーｊ３が押されるたびに、焼き加減の設定が、標準→強め→弱め→標準→・・・と切り替わる。表示操作部５２を利用する場合には、図１７に示すように、スライドバー型の操作標章をユーザーがスライドさせることによって焼き加減が設定される。操作標章への操作により、遠隔操作情報が生成され、ガスコンロ１Ａへ送信される。調理種別及び焼き加減の設定が完了した後、例えばユーザーがグリル操作シート３ｇの点火／消火キーｊ０を押すと、グリルＧが点火する。グリルＧは、設定された内容に従って、自動的に調理を行う。スマートフォン５Ａを用いて点火する場合には、図１８に示すように、表示操作部５２に表示された操作標章にユーザーがタッチすることによって、遠隔操作情報が生成されてガスコンロ１Ａに送信される。調理器制御装置１０は、この遠隔操作情報に基づいてグリルＧに点火する。
【００６１】
グリルＧに点火されると、ガスコンロ１Ａの天面表示部４０の表示は選択画面から動作状態を示す画面へと遷移する（図１８右列参照）。選択画面では、天面表示部４０のグリル状態表示領域４４を拡大するために、表示面分割する分割線が奥行き方向Ｙにおいて奥側に移動している。調理が開始されると、分割線は奥行き方向Ｙにおいて手前側に戻る。同様に、スマートフォン５Ａの表示操作部５２の表示も、動作状態を示す画面へと遷移する（図１８右列参照）。尚、自動調理機能が実行されている場合であっても、グリル操作シート３ｇの点火／消火キーｊ０を押すと、グリルＧを消火することができる。この操作に対応する遠隔操作情報の生成及び送信ができるように、スマートフォン５Ａの表示操作部５２には、自動調理機能の実行中に、“グリル消火”の操作標章が表示される。
【００６２】
調理が完了すると、ガスコンロ１Ａは焼き上がりを示す情報（実行状態情報）を含む運転状態情報を生成する。図１９に示すように、この運転状態情報に基づいて、調理器制御装置１０は天面表示部４０のグリル状態表示領域４４を拡大して調理完了を報知する。また、調理器制御装置１０はスマートフォン５Ａにその運転状態情報を送信する。この運転状態情報を受け取ったスマートフォン５Ａも、表示操作部５２を介して調理完了を報知する。
【００６３】
以上説明したように、加熱調理システム９は、スマートフォン５Ａを用いてガスコンロ１Ａをリモートコントロールする際に、スマートフォン５Ａの表示操作部５２に表示される画面と、ガスコンロ１Ａのコンロ操作部３や天面表示部４０とが同期した内容となるように構成されている。図１６〜図１９を参照して上述したように、ガスコンロ１Ａよりもスマートフォン５Ａにおける表示の方が詳細であり、情報量も多い。従って、自動調理機能について不慣れなユーザーは、スマートフォン５Ａをリモートコントローラ、あるいはガスコンロ１Ａのコンロ操作部３の１つとして利用することによって、円滑な操作が可能となる。一方、操作に慣れた場合には、スマートフォン５Ａを利用した段階的なＧＵＩが煩わしくなる可能性がある。
【００６４】
しかし、加熱調理システム９は、スマートフォン５Ａの表示操作部５２に表示される画面と、ガスコンロ１Ａのコンロ操作部３や天面表示部４０とが同期した内容となるように構成されている。従って、スマートフォン５Ａを利用して操作する場合と、直接ガスコンロ１Ａを操作する場合とで、ユーザーの操作性に大きな差異が発生しないように構成されている。つまり、何れを用いて操作してもユーザーは違和感を覚えにくい。その結果、初心者のユーザーがスマートフォン５Ａを利用して操作に慣れ、直接ガスコンロ１Ａを操作できるように円滑に支援することができる。
【産業上の利用可能性】
【００６５】
本発明は、被加熱物を加熱する加熱調理器と、当該加熱調理器とワイヤレス通信網を介して通信可能な携帯情報端末とを有する加熱調理システムに利用することができる。また、被加熱物を加熱する加熱調理器と、ワイヤレス通信網を介して通信可能な携帯情報端末において、実行される加熱調理システム用アプリケーションプログラムに利用することができる。
【符号の説明】
【００６６】
１        ：加熱調理器
１Ａ      ：ガスコンロ（加熱調理器）
３        ：コンロ操作部（調理器操作部）
３ｂ      ：バーナー操作シート（調理器操作部）
３ｇ      ：グリル操作シート（調理器操作部）
３ｍ      ：操作パネル（調理器操作部）
３ｓ      ：操作シート（調理器操作部）
４        ：調理器側報知部
５        ：携帯情報端末
５Ａ      ：スマートフォン（携帯情報端末）
９        ：加熱調理システム
１１      ：調理器制御部
１２      ：調理器側操作情報取得部
１３      ：運転状態情報生成部
１９      ：調理器側通信制御部
４０      ：天面表示部（調理器側報知部）
５１      ：ＨＭＩ制御部
５２      ：表示操作部（端末側表示部）
５９      ：端末側通信制御部
６１      ：運転状態情報取得部
６３      ：端末側報知情報生成部
７３      ：遠隔操作情報生成部
８３      ：標章生成部
８５      ：端末側報知制御部
Ｂ        ：バーナー（加熱部）
ＢＢ      ：後バーナー（加熱部）
ＢＬ      ：左バーナー（加熱部）
ＢＲ      ：右バーナー（加熱部）
Ｇ        ：グリル（加熱部）
Ｎ        ：ワイヤレス通信網
Ｐ        ：被加熱物
Ｓ        ：加熱部
【図１】
2014163539.tif 000003
【図２】
2014163539.tif 000004
【図３】
2014163539.tif 000005
【図４】
2014163539.tif 000006
【図５】
2014163539.tif 000007
【図６】
2014163539.tif 000008
【図７】
2014163539.tif 000009
【図８】
2014163539.tif 000010
【図９】
2014163539.tif 000011
【図１０】
2014163539.tif 000012
【図１１】
2014163539.tif 000013
【図１２】
2014163539.tif 000014
【図１３】
2014163539.tif 000015
【図１４】
2014163539.tif 000016
【図１５】
2014163539.tif 000017
【図１６】
2014163539.tif 000018
【図１７】
2014163539.tif 000019
【図１８】
2014163539.tif 000020
【図１９】
2014163539.tif 000021